(57)【特許請求の範囲】
【請求項１】
半田を溶融する加熱工具が保持される保持位置を３次元空間内で調整可能な保持台であって、
水平面上に規定された第１座標軸に沿う前記加熱工具の変位を許容する第１スライド部と、
前記第１スライド部に取り付けられ、且つ、前記水平面に直交する第２座標軸に沿う前記加熱工具の変位を許容する第２スライド部と、
前記第２スライド部に取り付けられ、且つ、前記水平面に平行な仮想平面上において弧状の軌跡に沿って前記加熱工具を変位させる回動部材と、を備え、
前記回動部材は、前記第２スライド部に回動可能に接続される接続部を有する接続部材と、前記接続部から離れた位置において、前記接続部材に取り付けられ、且つ、前記加熱工具を保持する保持部を含み、
前記保持部は、前記第２座標軸に沿って延びる回転中心軸周りにおいて、前記接続部材に対する前記加熱工具の回転を許容し、
前記接続部材は、前記第２スライド部から延びるアーム部材を含み、
前記保持部は、前記アーム部材に形成された開口部に嵌め込まれるベアリングと、前記ベアリングの回転をロックするロック機構と、を含み、
前記加熱工具は、前記ベアリングに挿入され、前記開口部を貫通する
保持台。
【請求項２】
前記加熱工具によって加熱される基板を支持する支持面を有する支持板を更に備え、
前記加熱工具は、前記基板に搭載された電子部品を取り囲む非円形の縁部を有するノズルを含むホットエア吹出器であり、
前記支持面上の前記基板は、前記ノズルに対向する
請求項１に記載の保持台。
【請求項３】
前記ロック機構は、前記ベアリングを取り囲むリング片と、前記リング片に接続され、使用者によって操作される操作レバーと、を含み、
前記リング片は、第１端と、前記第１端に対向する第２端と、前記第１端と前記第２端との間で延び、前記ベアリングを取り囲むロック部と、を含み、
前記操作レバーが、第１姿勢にあるとき、前記第２端は、前記第１端から第１距離だけ離れ、
前記操作レバーが、第２姿勢にあるとき、前記第１端と前記第２端との間の距離は、前記第１距離よりも短い第２距離となり、
前記第１端と前記第２端との間の前記距離が、前記第１距離にあるとき、前記ロック部は、前記ベアリングの前記回転を許容し、
前記第１端と前記第２端との間の前記距離が、前記第２距離にあるとき、前記ロック部は、前記ベアリングの前記回転をロックする
請求項１又は２に記載の保持台。
【請求項４】
前記第２スライド部は、前記第１スライド部に摺動可能に取り付けられた基台部と、前記基台部から立設され、前記第２座標軸に沿って延びるガイド棒と、前記ガイド棒に対して摺動可能に取り付けられ、且つ、前記アーム部材に接続される摺動板と、前記摺動板と前記アーム部材とを貫き、前記アーム部材の回動軸を定める軸棒と、を含み、
前記アーム部材は、前記軸棒が挿通される貫通孔から前記開口部までの区間において単一の板材から形成される
請求項１乃至３のいずれか１項に記載の保持台。
【請求項５】
前記回動部材は、前記摺動板に対して前記アーム部材を位置決めする位置決め片を含み、
前記位置決め片は、前記摺動板に形成されたスロットを貫通し、前記アーム部材に螺合されるネジ部と、前記摺動板に当接される頭部と、を含み、
前記スロットは、前記軸棒を中心に弧状に延びる
請求項４に記載の保持台。
【請求項６】
前記第２スライド部は、前記摺動板から立設されたラックロッドと、前記ラックロッドに形成されたラックに噛み合うピニオンと、を含み、
前記第２座標軸上における前記摺動板の位置は、前記ピニオンの回転によって調整される
請求項４又は５に記載の保持台。
【請求項７】
前記第１スライド部は、前記第１座標軸に沿って延び、前記基台部を支持するスライドレールと、前記スライドレールに並行して延びる位置決めロッドと、前記位置決めロッドに対向する第１対向面及び前記基台部に対向する第２対向面を含む位置決め部材と、前記第２対向面と前記基台部との間に配置された弾性部材と、を含み、
前記弾性部材は、前記第２対向面を前記基台部から離間させると同時に前記第１対向面を前記位置決めロッドに圧接させる第１方向に前記位置決め部材を付勢し、
前記弾性部材が、前記第１方向とは反対の第２方向に圧縮されると、前記第１対向面は、前記位置決めロッドから離間し、
前記位置決めロッドに対する前記第１対向面の圧接の結果、前記基台部は、前記第１スライド部上でロックされる
請求項４乃至６のいずれか１項に記載の保持台。
【請求項８】
前記保持部は、前記ベアリングの内周面から突出するセットボルトを含む
請求項１乃至７のいずれか１項に記載の保持台。
【発明の詳細な説明】
【技術分野】
【０００１】
本発明は、加熱工具を保持する保持台に関する。
【背景技術】
【０００２】
多数の電子部品が、基板上に密集して配置されることがある。使用者が、密集した多数の電子部品のうち１つを取り外すとき、使用者は、半田を溶融する加熱工具を精度よく操作する必要がある。特許文献１は、加熱工具に対する精度よい操作を可能にする保持台を開示する。
【０００３】
特許文献１の装置は、３つの軸（以下、Ｘ軸、Ｙ軸又はＺ軸と称される）に沿う加熱工具の移動を可能にする。Ｘ軸及びＹ軸は、水平面上で規定される。Ｚ軸は、水平面に対して垂直である。使用者は、特許文献１の装置を用いて、三次元空間内の様々な位置に加熱工具を精度よく配置し、電子部品の除去作業を行うことができる。
【先行技術文献】
【特許文献】
【０００４】
【特許文献１】特開２００５−５１２３０７号公報
【発明の概要】
【発明が解決しようとする課題】
【０００５】
特許文献１の技術によれば、加熱工具を水平面上で移動させるためには、Ｘ軸に沿う変位のためのスライド機構及びＹ軸に沿う変位のためのスライド機構が必要とされる。したがって、特許文献１の装置は、水平面上で大きな面積を占有する。
【０００６】
本発明は、水平面上で広い占有面積を必要としない保持台を提供することを目的とする。
【課題を解決するための手段】
【０００７】
本発明の一局面に係る保持台は、半田を溶融する加熱工具が保持される保持位置を３次元空間内で調整可能である。保持台は、水平面上に規定された第１座標軸に沿う前記加熱工具の変位を許容する第１スライド部と、前記第１スライド部に取り付けられ、且つ、前記水平面に直交する第２座標軸に沿う前記加熱工具の変位を許容する第２スライド部と、前記第２スライド部に取り付けられ、且つ、前記水平面に平行な仮想平面上において弧状の軌跡に沿って前記加熱工具を変位させる回動部材と、を備える。前記回動部材は、前記第２スライド部に回動可能に接続される接続部を有する接続部材と、前記接続部から離れた位置において、前記接続部材に取り付けられ、且つ、前記加熱工具を保持する保持部を含む。前記保持部は、前記第２座標軸に沿って延びる回転中心軸周りにおいて、前記接続部材に対する前記加熱工具の回転を許容する。
【０００８】
上記構成によれば、回動部材は、水平面に平行な仮想平面上において弧状の軌跡に沿って加熱工具を変位させるので、保持台は、第１座標軸及び第２座標軸に直交する座標軸に沿う直線的な変位なしで、第１座標軸及び第２座標軸に直交する座標軸における加熱工具の位置を定めることができる。弧状の軌跡に沿う変位は、第１座標軸における加熱工具の位置を同時に変化させるけれども、第１スライド部は、第１座標軸に沿う加熱工具の変位を許容するので、保持台は、第１座標軸における加熱工具の位置を定めることができる。上述の如く、保持台は、第１座標軸及び第２座標軸に直交する座標軸に沿う直線的な変位なしで、水平面上の加熱工具の位置を定めることができるので、保持台を設計する設計者は、第１座標軸及び第２座標軸に直交する座標軸に沿う機械的なストローク（加熱工具を保持する保持機構のストローク）を考慮しなくてもよい。したがって、保持台は、水平面上において、広い面積を占有しない。保持部は、第２座標軸に沿って延びる回転中心軸周りにおいて、接続部材に対する加熱工具の回転を許容するので、使用者は、加熱工具の向きを適切に調整することができる。
【０００９】
上記構成において、前記接続部材は、前記第２スライド部から延びるアーム部材を含んでもよい。前記保持部は、前記アーム部材に形成された開口部に嵌め込まれるベアリングと、前記ベアリングの回転をロックするロック機構と、を含んでもよい。前記加熱工具は、前記ベアリングに挿入され、前記開口部を貫通してもよい。
【００１０】
上記構成によれば、保持部は、アーム部材に形成された開口部に嵌め込まれるベアリングを用いて形成されるので、保持台は、簡素な構造を有することができる。保持部は、ベアリングの回転をロックするロック機構を有するので、使用者は、ロック機構を用いて、加熱工具の向きを固定することができる。
【００１１】
上記構成において、前記ロック機構は、前記ベアリングを取り囲むリング片と、前記リング片に接続され、使用者によって操作される操作レバーと、を含んでもよい。前記リング片は、第１端と、前記第１端に対向する第２端と、前記第１端と前記第２端との間で延び、前記ベアリングを取り囲むロック部と、を含んでもよい。前記操作レバーが、第１姿勢にあるとき、前記第２端は、前記第１端から第１距離だけ離れてもよい。前記操作レバーが、第２姿勢にあるとき、前記第１端と前記第２端との間の距離は、前記第１距離よりも短い第２距離となってもよい。前記第１端と前記第２端との間の前記距離が、前記第１距離にあるとき、前記ロック部は、前記ベアリングの前記回転を許容してもよい。前記第１端と前記第２端との間の前記距離が、前記第２距離にあるとき、前記ロック部は、前記ベアリングの前記回転をロックしてもよい。
【００１２】
上記構成によれば、ロック機構は、リング片と操作レバーとを用いて形成されるので、保持台は、簡素な構造を有することができる。使用者は、操作レバーの姿勢を、第１姿勢から第２姿勢に変更し、加熱工具の向きを固定することができる。操作レバーの姿勢が、その後、第２姿勢から第１姿勢へ変更されると、作業者は、加熱工具の向きを調整することができる。したがって、作業者は、加熱工具の向きの固定及び調整を容易に行うことができる。
【００１３】
上記構成において、前記第２スライド部は、前記第１スライド部に摺動可能に取り付けられた基台部と、前記基台部から立設され、前記第２座標軸に沿って延びるガイド棒と、前記ガイド棒に対して摺動可能に取り付けられ、且つ、前記アーム部材に接続される摺動板と、前記摺動板と前記アーム部材とを貫き、前記アーム部材の回動軸を定める軸棒と、を含んでもよい。前記アーム部材は、前記軸棒が挿通される貫通孔から前記開口部の区間において単一の板材から形成されてもよい。
【００１４】
上記構成によれば、アーム部材は、軸棒が挿通される貫通孔から開口部までの区間において単一の板材から形成されるので、使用者は、仮想平面上における加熱工具の位置を精度よく定めることができる。
【００１５】
上記構成において、前記回動部材は、前記摺動板に対して前記アーム部材を位置決めする位置決め片を含んでもよい。前記位置決め片は、前記摺動板に形成されたスロットを貫通し、前記アーム部材に螺合されるネジ部と、前記摺動板に当接される頭部と、を含んでもよい。前記スロットは、前記軸棒を中心に弧状に延びてもよい。
【００１６】
上記構成によれば、スロットは、軸棒を中心に弧状に延びるので、ネジ部は、スロットに沿って変位される。したがって、使用者は、位置決め片に妨げられることなく、アーム部材を軸棒周りに回転させることができる。ネジ部が、アーム部材に螺合される一方で、頭部は、摺動板に当接されるので、使用者が、ネジ部を回転し、頭部を摺動板に圧接させると、アーム部材は、摺動板に適切に固定される。したがって、作業者は、アーム部材の回転位置を容易に固定することができる。
【００１７】
上記構成において、前記第２スライド部は、前記摺動板から立設されたラックロッドと、前記ラックロッドに形成されたラックに噛み合うピニオンと、を含んでもよい。前記第２座標軸上における前記摺動板の位置は、前記ピニオンの回転によって調整されてもよい。
【００１８】
上記構成によれば、第２座標軸上における摺動板の位置は、ラックとピニオンとによって調整されるので、保持台は、簡素な構造を有することができる。
【００１９】
上記構成において、前記第１スライド部は、前記第１座標軸に沿って延び、前記基台部を支持するスライドレールと、前記スライドレールに並行して延びる位置決めロッドと、前記位置決めロッドに対向する第１対向面及び前記基台部に対向する第２対向面を含む位置決め部材と、前記第１対向面と前記基台部との間に配置された弾性部材と、を含んでもよい。前記弾性部材は、前記第２対向面を前記基台部から離間させると同時に前記第１対向面を前記位置決めロッドに圧接させる第１方向に前記位置決め部材を付勢してもよい。前記弾性部材が、前記第１方向とは反対の第２方向に圧縮されると、前記第１対向面は、前記位置決めロッドから離間してもよい。前記位置決めロッドに対する前記第１対向面の圧接の結果、前記基台部は、前記第１スライド部上でロックされてもよい。
【００２０】
上記構成によれば、弾性部材は、第１方向に位置決め部材を付勢するので、加熱工具の第１座標軸上の位置は、作業者の操作を要することなく、固定される。使用者が、弾性部材を圧縮すると、第２対向面は、位置決めロッドから離間するので、加熱工具の第１座標軸上の位置は、作業者による複雑な操作を要することなく、固定される。
【００２１】
上記構成において、前記保持部は、前記ベアリングの内周面から突出するセットボルトを更に備えてもよい。
【００２２】
上記構成によれば、加熱工具は、セットボルトによってベアリング内で適切に固定される。
【００２３】
上記構成において、保持台は、前記加熱工具によって加熱される基板を支持する支持面を有する支持板を更に備えてもよい。前記加熱工具は、前記基板に搭載された電子部品を取り囲む非円形のノズルを含むホットエア吹出器であってもよい。前記支持面上の前記基板は、前記ノズルに対向してもよい。
【００２４】
上記構成によれば、保持部は、第２座標軸に沿って延びる回転中心軸周りにおいて、接続部材に対する加熱工具の回転を許容するので、使用者は、非円形のノズルの向きを適切に調整することができる。
【発明の効果】
【００２５】
上述の保持台は、水平面上での広い占有面積を要することなく、加熱工具を適切に保持することができる。
【図面の簡単な説明】
【００２６】
【図１】例示的な保持台の概略的な斜視図である。
【図２】図１に示される保持台によって保持される例示的な吹出器の概略的な斜視図である。
【図３】図１に示される保持台の分解された回動部材の概略的な斜視図である。
【図４】図３に示される回動部材の概略的な断面図である。
【図５】図３に示される回動部材の概略的な断面図である。
【図６Ａ】図１に示される保持台の概略的な平面図である。
【図６Ｂ】図１に示される保持台の概略的な側面図である。
【図７】図１に示される保持台のギアボックスの概略的な断面図（Ｙ軸方向）である。
【図８】図１に示される保持台のギアボックスの概略的な断面図（Ｘ軸方向）である。
【図９Ａ】図１に示される保持台の位置決め機構の概念的な断面図である。
【図９Ｂ】図１に示される保持台の位置決め機構の概念的な断面図である。
【発明を実施するための形態】
【００２７】
＜第１実施形態＞
本発明者等は、従来の保持台は、非常に低い空間利用効率を有するという課題を見出した。第１実施形態において、空間を効率よく利用する例示的な保持台が説明される。
【００２８】
図１は、第１実施形態の保持台１００の概略的な斜視図である。図１を参照して、保持台１００が説明される。
【００２９】
図１は、ＸＹＺ座標系を示す。以下の説明において、「Ｘ軸に沿う」との文言は、Ｘ軸に完全に平行であることのみを意味するだけでなく、Ｘ軸に対して若干ずれた方向をも意味する。「Ｙ軸に沿う」との文言は、Ｙ軸に完全に平行であることのみを意味するだけでなく、Ｙ軸に対して若干ずれた方向をも意味する。「Ｚ軸に沿う」との文言は、Ｙ軸に完全に平行であることのみを意味するだけでなく、Ｚ軸に対して若干ずれた方向をも意味する。
【００３０】
Ｙ軸は、Ｘ軸に直交する。Ｘ軸及びＹ軸は、水平面を規定する。Ｚ軸は、Ｘ軸及びＹ軸によって規定された水平面に直交する。以下の説明において、「水平面に沿う」との文言は、水平面に完全に平行であることのみを意味するだけでなく、水平面に対して若干ずれた方向をも意味する。本実施形態において、第１座標軸は、Ｙ軸によって例示される。第２軸は、Ｚ軸によって例示される。
【００３１】
保持台１００は、支持板２００と、第１スライド部３００と、第２スライド部４００と、回動部材５００と、を備える。支持板２００は、水平面に略平行な上面２１０を有する。使用者は、電子部品（図示せず）が取り付けられた基板（図示せず）を、上面２１０に載置することができる。支持板２００には、基板を固定するための様々な固定構造（図示せず）が取り付けられてもよい。本実施形態の原理は、基板を固定するための特定の構造に限定されない。本実施形態において、支持面は、上面２１０によって例示される。
【００３２】
第１スライド部３００は、支持板２００の上面２１０上に固定される。第２スライド部４００は、第１スライド部３００に取り付けられる。第１スライド部３００は、Ｙ軸に沿う方向における第２スライド部４００の移動を許容する。回動部材５００は、第２スライド部４００に取り付けられる。第２スライド部４００は、Ｚ軸に沿う方向における回動部材５００の移動を許容する。加熱工具（図示せず）は、回動部材５００に取り付けられる。したがって、Ｙ軸に沿う方向における加熱工具の変位は、第１スライド部３００によって許容される。Ｚ軸に沿う方向における加熱工具の変位は、第２スライド部４００によって許容される。加熱工具は、半田を溶融するホットエアを吹き出す吹出器であってもよい。代替的に、加熱工具は、溶融された半田を吸引する除去具であってもよい。更に代替的に、加熱工具は、ワークに熱エネルギを与える他の装置であってもよい。本実施形態の原理は、加熱工具の特定の機能や特定の用途に限定されない。
【００３３】
回動部材５００は、アーム板５１０と、ベアリング５２０と、を含む。アーム板５１０は、基端部５１１と、基端部５１１とは反対の先端部５１２と、を含む。本実施形態において、アーム板５１０は、基端部５１１から先端部５１２まで直線的に延びる細長い平板である。本実施形態において、接続部材及びアーム部材は、アーム板５１０によって例示される。代替的に、接続部材及びアーム部材は、アーム板５１０とは異なる形状を有してもよい。本実施形態の原理は、接続部材の特定の形状に限定されない。
【００３４】
図１は、アーム板５１０の基端部５１１に交差する軸線ＳＡＸを示す。軸線ＳＡＸは、Ｚ軸に沿って延びる。アーム板５１０は、軸線ＳＡＸが交差する基端部５１１において第２スライド部４００に接続される。ベアリング５２０は、基端部５１１から離れた先端部５１２に取り付けられる。加熱工具は、ベアリング５２０に挿入される。アーム板５１０は、軸線ＳＡＸ周りに回動する。この結果、ベアリング５２０に挿入された加熱工具は、支持板２００の上面２１０に略平行な仮想平面（図示せず）上において、弧状の軌跡に沿って変位することができる。本実施形態において、接続部は、アーム板５１０の基端部５１１によって例示される。
【００３５】
軸線ＳＡＸ周りのアーム板５１０の回動の結果、加熱工具は、Ｘ軸方向に変位することができる。したがって、使用者は、アーム板５１０を回動させ、Ｘ軸上における加熱工具の位置を定めることができる。軸線ＳＡＸ周りのアーム板５１０の回動は、Ｙ軸に沿う方向における加熱工具の変位を同時に生じさせるけれども、使用者は、第１スライド部３００を利用して、Ｙ軸上における加熱工具の位置を適切に定めることができる。加えて、使用者は、第２スライド部４００を利用して、Ｚ軸に沿う方向の加熱工具の位置を調整することができる。したがって、使用者は、半田を溶融する加熱工具が保持される保持位置を３次元空間内で適切に調整することができる。
【００３６】
図１は、ベアリング５２０の中心軸ＢＡＸを示す。軸線ＳＡＸと同様に、中心軸ＢＡＸは、Ｚ軸に沿って延びる。ベアリング５２０は、中心軸ＢＡＸ周りの加熱工具の回転を許容する。本実施形態において、回転中心軸は、中心軸ＢＡＸによって例示される。保持部は、ベアリング５２０によって例示される。代替的に、保持部は、加熱工具を回転可能に保持する他の部品であってもよい。本実施形態の原理は、保持部として用いられる部品の特定の構造に限定されない。
【００３７】
本実施形態において、ベアリング５２０は、基端部５１１とは反対の先端部５１２に取り付けられる。軸線ＳＡＸとベアリング５２０の中心軸ＢＡＸとの間の距離は、支持板２００の上面２１０の広さに適合するように決定されてもよい。上面２１０が広いならば、保持台１００を設計する設計者は、軸線ＳＡＸとベアリング５２０の中心軸ＢＡＸとの間の距離を大きな値に設定してもよい。上面２１０が狭いならば、保持台１００を設計する設計者は、軸線ＳＡＸとベアリング５２０の中心軸ＢＡＸとの間の距離を小さな値に設定してもよい。したがって、設計者は、ベアリング５２０を、アーム板５１０の基端部５１１と先端部５１２との間の中間位置に配置してもよい。本実施形態の原理は、アーム板５１０上のベアリング５２０の特定の配置位置に限定されない。
【００３８】
＜第２実施形態＞
使用者は、第１実施形態に関連して説明された保持台に、様々な加熱工具を取り付けることができる。たとえば、使用者は、半田を溶融するホットエアを吹き出す吹出器を、保持台に取り付けてもよい。第２実施形態において、保持台に取付可能な吹出器が説明される。
【００３９】
図２は、吹出器ＢＬＷの概略的な斜視図である。図１及び図２を参照して、吹出器ＢＬＷが説明される。
【００４０】
吹出器ＢＬＷは、本体部ＭＰＴと、ケーブルＣＢＬと、ノズルＮＺＬと、を備える。本体部ＭＰＴは、空気を加熱するヒータや空気を案内する管部材といった様々な部品を内蔵する。本体部ＭＰＴは、ケーブルＣＢＬを通じた電力供給下でホットエアを生成する。本体部ＭＰＴが生成したホットエアは、ノズルＮＺＬを通じて吹き出される。ホットエアを生成するための様々な既知の構造が、本体部ＭＰＴに適用されてもよい。本実施形態の原理は、本体部ＭＰＴの特定の構造に限定されない。本実施形態において、ホットエア吹出器は、吹出器ＢＬＷによって例示される。
【００４１】
ノズルＮＺＬは、全体的に、矩形箱状に形成される。ノズルＮＺＬは、基板（図示せず）上で固定された電子部品（図示せず）を取り囲む周壁ＳＲＷを含む。周壁ＳＲＷは、電子部品（図示せず）が挿入される開口部（図示せず）を規定する底縁ＢＥＧを含む。
【００４２】
底縁ＢＥＧが、支持板２００の上面２１０に対向するように、使用者は、ノズルＮＺＬをベアリング５２０に取り付ける。ベアリング５２０は、本体部ＭＰＴを保持する。
【００４３】
第１実施形態に関連して説明された如く、使用者は、アーム板５１０を軸線ＳＡＸ周りに回動し、Ｘ軸上におけるノズルＮＺＬの位置を調整することができる。使用者は、第１スライド部３００を用いて、Ｙ軸上におけるノズルＮＺＬの位置を調整することができる。使用者は、ベアリング５２０に、中心軸ＢＡＸ周りの回転動作を与え、底縁ＢＥＧが、電子部品の周縁に沿うように、ノズルＮＺＬの向きを調整することができる。使用者は、第２スライド部４００を用いて、ノズルＮＺＬを、支持板２００の上面２１０に接近させることができる。この結果、基板に搭載された電子部品は、ノズルＮＺＬに取り囲まれる。
【００４４】
吹出器ＢＬＷが作動すると、ホットエアは、ノズルＮＺＬ内の空間に吹き出される。この結果、基板、電子部品及び半田は、ノズルＮＺＬ内で加熱されることとなる。使用者は、加熱処理の後、電子部品を基板から取り外すことができる。
【００４５】
本実施形態において、ノズルＮＺＬの底縁ＢＥＧは、矩形状である。ノズルＮＺＬを設計する設計者は、加熱対象の電子部品の形状に適合するように、ノズルＮＺＬの形状を定めてもよい。したがって、本実施形態の原理は、ノズルＮＺＬの特定の形状に限定されない。
【００４６】
本実施形態において、非円形の縁部は、底縁ＢＥＧによって例示される。代替的に、非円形の縁部は、他の形状を描いてもよい。
【００４７】
＜第３実施形態＞
保持部は、ベアリングの回転を固定するロック機構を有してもよい。第３実施形態において、ロック機構を有する保持部が説明される。
【００４８】
図３は、分解された回動部材５００の概略的な斜視図である。図１乃至図３を参照して、回動部材５００が説明される。
【００４９】
第１実施形態に関連して説明された如く、回動部材５００は、アーム板５１０と、ベアリング５２０と、を含む。第１実施形態の説明は、これらの部品に援用される。
【００５０】
図３に示される如く、アーム板５１０の先端部５１２には、略円形の貫通孔５１３が形成される。ベアリング５２０は、貫通孔５１３に嵌め込まれる。貫通孔５１３の中心軸は、図１を参照して説明された中心軸ＢＡＸに相当する。加熱工具（たとえば、図２を参照して説明された吹出器ＢＬＷ）は、ベアリング５２０に挿入され、貫通孔５１３を貫通する。本実施形態において、開口部は、貫通孔５１３によって例示される。
【００５１】
回動部材５００は、ロック機構５３０を更に備える。ロック機構５３０は、ベアリング５２０の回転をロックし、ベアリング５２０と協働して、加熱工具を保持する。本実施形態において、保持部は、ベアリング５２０とロック機構５３０とによって例示される。
【００５２】
ロック機構５３０は、リング片５３１と、操作レバー５３２と、２本の締結ネジ５３３と、を含む。リング片５３１は、ベアリング５２０を取り囲む。操作レバー５３２は、リング片５３１に取り付けられる。使用者が、操作レバー５３２を時計回り又は反時計回りに回すと、リング片５３１は、ベアリング５２０を締め付ける。この結果、ベアリング５２０の回転は、リング片５３１によってロックされる。使用者が、操作レバー５３２を反時計回り又は時計回りに回すと、リング片５３１は、ベアリング５２０に対するロックを解除する。
【００５３】
リング片５３１は、略矩形状の締付板５３４と、締付板５３４からＹ軸の延接方向に突出する２つの突出片５３５，５３６と、を含む。締付板５３４の略中心には、略円形の貫通孔５３７が形成される。締付板５３４の２つの角隅部には、２つの締結孔５３８が形成される。２本の締結ネジ５３３は、２つの締結孔５３８にそれぞれ挿入され、アーム板５１０に形成されたネジ穴５１４と螺合する。この結果、締付板５３４は、アーム板５１０に固定される。このとき、締付板５３４に形成された貫通孔５３７は、アーム板５１０に形成された貫通孔５１３と略同軸である。
【００５４】
締付板５３４は、弧状のロック面５３９を含む。ロック面５３９は、貫通孔５３７の輪郭を規定する。ロック面５３９は、ベアリング５２０の外周面に当接する。上述の操作レバー５３２に対する操作の結果、ロック面５３９は、ベアリング５２０の外周面に圧接され、ベアリング５２０の回転をロックする。
【００５５】
突出片５３６は、突出片５３５の隣に配置される。突出片５３５，５３６の間には薄い空隙が形成される。薄い空隙は、貫通孔５３７に繋がる。したがって、締付板５３４は、突出片５３５から突出片５３６へ延びる。本実施形態において、第１端は、突出片５３５，５３６のうち一方によって例示される。第２端は、突出片５３５，５３６のうち他方によって例示される。ロック部は、締付板５３４によって例示される。
【００５６】
操作レバー５３２は、全体的に、Ｌ字形状をなす。操作レバー５３２は、連結ロッド５４１と、連結ロッド５４１に対して屈曲する方向に延びる操作ロッド５４２と、を含む。連結ロッド５４１は、突出片５３５，５３６を貫く。連結ロッド５４１の先端部（図示せず）は、突出片５３６内で空転する。突出片５３６に対向する突出片５３５に対応する位置において、連結ロッド５４１には雄ネジ（図示せず）が形成される。突出片５３５の内部には、連結ロッド５４１の雄ネジに噛み合う雌ネジが形成される。したがって、連結ロッド５４１が、長手方向軸周りに回転すると、突出片５３５，５３６間の距離は変化する。
【００５７】
操作ロッド５４２は、連結ロッド５４１の基端部に固定される。操作ロッド５４２は、連結ロッド５４１の長手方向軸の延設方向（すなわち、突出片５３５，５３６の整列方向）に対して交差する方向に延びる。使用者は、操作ロッドを摘み、連結ロッド５４１周りに回転させることができる。この結果、突出片５３５，５３６の間の距離は、変化する。
【００５８】
突出片５３５，５３６の間の距離が長いとき、貫通孔５３７の面積は、大きい。したがって、ベアリング５２０は、リング片５３１によって妨げられることなく、円滑に回転することができる。本実施形態において、第１距離は、リング片５３１がベアリング５２０の円滑な回転を許容するときの突出片５３５，５３６間の距離によって例示される。第１姿勢は、リング片５３１がベアリング５２０の円滑な回転を許容するときの操作ロッド５４２の回転位置によって例示される。
【００５９】
使用者が、操作ロッド５４２を回転させ、突出片５３６を突出片５３５に近づけると、貫通孔５３７は縮小する。この結果、ベアリング５２０は、リング片５３１によってロックされる。本実施形態において、第２距離は、リング片５３１がベアリング５２０をロックしたときの突出片５３５，５３６間の距離によって例示される。第２姿勢は、リング片５３１がベアリング５２０をロックしたときの操作ロッド５４２の回転位置によって例示される。
【００６０】
＜第４実施形態＞
保持台を設計する設計者は、ベアリングに様々な形状を与えてもよい。第４実施形態において、例示的なベアリングが説明される。
【００６１】
図４は、回動部材５００の概略的な断面図である。図２乃至図４を参照して、ベアリング５２０が説明される。
【００６２】
ベアリング５２０は、全体的に、円筒形状である。ベアリング５２０は、外周面５２１と内周面５２２とを含む。外周面５２１は、アーム板５１０及びリング片５３１に対して摺動する。したがって、ベアリング５２０は、滑り軸受として機能する。外周面５２１とは反対側の内周面５２２は、加熱工具（たとえば、図２を参照して説明された吹出器ＢＬＷ）が収容される空間を規定する。
【００６３】
外周面５２１は、第１外周面５２３と、第２外周面５２４と、肩面５２５と、を含む。第１外周面５２３は、第２外周面５２４よりも直径において大きい。したがって、肩面５２５は、第１外周面５２３と第２外周面５２４との間に形成される。第２外周面５２４は、第１外周面５２３の下方に位置する。第２外周面５２４は、肩面５２５から下方に延びる。
【００６４】
アーム板５１０は、上面５１５と、上面５１５とは反対側の下面５１６と、を含む。第１外周面５２３は、直径において、図３を参照して説明された貫通孔５１３よりも大きい一方で、第２外周面５２４は、貫通孔５１３と相補的である。したがって、肩面５２５は、アーム板５１０の上面５１５に当接する。この結果、ベアリング５２０は、貫通孔５１３から抜け落ちない。
【００６５】
第１外周面５２３は、図３を参照して説明された貫通孔５３７と相補的である。図３を参照して説明されたロック面５３９は、第１外周面５２３に当接する。使用者が、操作ロッド５４２を回転し、ロック面５３９を第１外周面５２３に圧接すると、非常に高い摩擦力が、ロック面５３９と第１外周面５２３との間に生ずる。この結果、ベアリング５２０は、ロックされる。使用者が、操作ロッド５４２を反対方向に回転すると、ロック面５３９が第１外周面５２３に与える押圧力は、低減されるので、ベアリング５２０は、回転することができる。
【００６６】
回動部材５００は、スナップリング５４０を含む。図３に示される如く、第２外周面５２４には、周方向に延びる周溝５２６が形成される。図４に示される如く、第２外周面５２４は、アーム板５１０の下面５１６から下方に突出する。このとき、周溝５２６は、アーム板５１０の下面５１６の下方に現れる。スナップリング５４０は、周溝５２６に嵌め込まれる。ベアリング５２０が、持ち上げられると、スナップリング５４０は、アーム板５１０の下面５１６と干渉するので、ベアリング５２０の上方への離脱は、防止される。
【００６７】
＜第５実施形態＞
加熱工具は、様々な固定技術によって、ベアリングに固定されてもよい。第５実施形態において、ベアリングに対する加熱工具の例示的な固定技術が説明される。
【００６８】
図５は、回動部材５００の概略的な断面図である。図２、図４及び図５を参照して、ベアリング５２０に対する吹出器ＢＬＷの例示的な固定技術が説明される。
【００６９】
図４に示される如く、ベアリング５２０の内周面５２２は、第１内周面５５１と、第２内周面５５２と、第３内周面５５３と、第１肩面５５４と、第２肩面５５５と、を含む。第１内周面５５１は、第１内周面５５１、第２内周面５５２及び第３内周面５５３の中で最も上に位置する。第３内周面５５３は、第１内周面５５１、第２内周面５５２及び第３内周面５５３の中で最も下に位置する。第２内周面５５２は、第１内周面５５１と第３内周面５５３との間に位置する。
【００７０】
第１内周面５５１、第２内周面５５２及び第３内周面５５３それぞれは、略円筒形状の空房を形成する。図２を参照して説明された吹出器ＢＬＷは、これらの空房に挿入される。第１内周面５５１によって規定される空房は、これらの空房の中で直径において最も大きい。したがって、第１肩面５５４は、第１内周面５５１と第２内周面５５２との間の境界に形成される。第３内周面５５３によって規定される空房は、これらの空房の中で直径において最も小さい。したがって、第２肩面５５５は、第３内周面５５３と第２内周面５５２との間の境界に形成される。
【００７１】
図４に示される如く、回動部材５００は、略円形のＯリング５５０を含む。Ｏリング５５０の外形は、第１内周面５５１と相補的である。Ｏリング５５０は、第１肩面５５４上に載置される。
【００７２】
図２に示される如く、吹出器ＢＬＷの本体部ＭＰＴは、握持部ＨＤＬと加熱棒ＨＲＤとを含む。握持部ＨＤＬ及び加熱棒ＨＲＤはともに、全体的に、円筒形状である。握持部ＨＤＬは、断熱構造を有し、使用者は、握持部ＨＤＬを掴むことができる。加熱棒ＨＲＤは、ホットエアを、ノズルＮＺＬへ案内する。加熱棒ＨＲＤは、握持部ＨＤＬよりも細い。したがって、肩部ＳＬＤが、加熱棒ＨＲＤと握持部ＨＤＬとの境界に形成される。
【００７３】
肩部ＳＬＤが、第２肩面５５５に当接するように、使用者は、吹出器ＢＬＷを、ベアリング５２０に挿入する。この結果、第２内周面５５２は、握持部ＨＤＬの一部を取り囲む。加熱棒ＨＲＤは、第３内周面５５３によって規定された空房を貫通する。
【００７４】
図５に示される如く、回動部材５００は、３つのセットボルト５６０を含む。３つのセットボルト５６０は、第３内周面５５３の周方向において略等間隔で、第３内周面５５３から突出する。セットボルト５６０の突出量は、セットボルト５６０の回転によって調整される。３つのセットボルト５６０それぞれの先端が、加熱棒ＨＲＤの周面に当接するように、使用者は、セットボルト５６０の突出量を調整する。本実施形態において、保持部は、ベアリング５２０とセットボルト５６０とによって例示される。
【００７５】
図４に示される如く、第２外周面５２４と第３内周面５５３との間の肉厚は、ベアリング５２０の他の領域よりも厚い。したがって、３つのセットボルト５６０は、ベアリング５２０を損傷しにくい。
【００７６】
＜第６実施形態＞
保持台を設計する設計者は、加熱工具の高さ位置を調整する第２スライド部に様々な構造を与えることができる。第６実施形態において、第２スライド部の例示的な構造が説明される。
【００７７】
図１に示される如く、第２スライド部４００は、基台部４１０と、ガイド棒４２０と、摺動板４３０と、締結ネジ４４０と、調整機構４５０と、を含む。基台部４１０は、第１スライド部３００に摺動可能に取り付けられる。第１スライド部３００は、Ｙ軸に沿う基台部４１０の変位を許容する。
【００７８】
ガイド棒４２０は、基台部４１０から立設され、Ｚ軸に沿って上方に延びる。摺動板４３０は、ガイド棒４２０によって貫かれる。摺動板４３０は、ガイド棒４２０に対して摺動可能である。摺動板４３０は、ガイド棒４２０によって案内され、Ｚ軸に沿って変位することができる。
【００７９】
図３に示される如く、アーム板５１０の基端部５１１には、貫通孔５１７が形成される。摺動板４３０には、貫通孔５１７に連通する貫通孔（図示せず）が形成される。図１に示される如く、締結ネジ４４０は、軸線ＳＡＸに沿って延び、摺動板４３０及びアーム板５１０を貫通することができる。締結ネジ４４０の長手方向軸は、軸線ＳＡＸに略一致する。締結ネジ４４０の下端は、アーム板５１０の下面５１６から突出する。ボルト（図示せず）は、締結ネジ４４０の下端に取り付けられる。したがって、摺動板４３０に連結されたアーム板５１０は、締結ネジ４４０周りに回動することができる。本実施形態において、軸棒は、締結ネジ４４０によって例示される。
【００８０】
図３に示される如く、アーム板５１０全体は、単一の平板から形成される。設計者は、アーム板５１０を、複数の板材を用いて形成することもできる。この場合、貫通孔５１３，５１７間において、複数の板材が接続された間接部が形成されることになる。しかしながら、貫通孔５１３，５１７間に形成された間接部は、加熱工具の位置的な精度を低くすることもある。したがって、本実施形態のように、単一の板材を用いて、アーム板５１０を形成することは、加熱工具の位置的な精度の観点から好ましい。
【００８１】
＜第７実施形態＞
第６実施形態に関連して説明された如く、アーム板は、摺動板に対して回動可能である。設計者は、アーム板を摺動板に固定する構造を、保持台に与えてもよい。第７実施形態において、アーム板を摺動板に固定するための例示的な構造が説明される。
【００８２】
図６Ａは、保持台１００の概略的な平面図である。図６Ｂは、保持台１００の概略的な側面図である。図１、図３、図６Ａ及び図６Ｂを参照して、アーム板５１０を摺動板４３０に固定するための構造が説明される。
【００８３】
図１に示される如く、摺動板４３０は、厚肉部４３１と薄肉部４３２とを含む。厚肉部４３１は、全体的に矩形である。薄肉部４３２は、厚肉部４３１よりも薄く、且つ、略半円形である。薄肉部４３２には、略半弧状に延びるスロット４３３が形成される。スロット４３３の曲率中心は、軸線ＳＡＸに略一致する。
【００８４】
図１に示される如く、回動部材５００は、ロックネジ５７０を含む。図６Ｂに示される如く、ロックネジ５７０は、略円筒形状の頭部５７１と、頭部５７１から下方に延びる脚部５７２と、を含む。図６Ａに示される如く、頭部５７１は、スロット４３３の幅よりも大きい。したがって、頭部５７１は、スロット４３３の周囲において、薄肉部４３２に当接する。
【００８５】
図３に示される如く、アーム板５１０には、ネジ穴５１８が形成される。脚部５７２（図６Ｂを参照）には、雄ネジが形成される。図６Ｂに示される如く、脚部５７２は、スロット４３３を貫通し、ネジ穴５１８に螺合される。この結果、薄肉部４３２とアーム板５１０との間に高い摩擦力が生じ、薄肉部４３２に対するアーム板５１０の位置は、固定される。本実施形態において、位置決め片は、ロックネジ５７０によって例示される。
【００８６】
＜第８実施形態＞
第６実施形態に関連して説明された如く、摺動板は、ガイド棒に沿って上下動する。この結果、加熱工具の高さ位置が調整される。設計者は、摺動板の高さ位置を調整するための様々な機構を構築することができる。第８実施形態において、摺動板の高さ位置を調整するための機構が説明される。
【００８７】
図１に示される如く、加熱工具（図示せず）の高さ位置を調整する調整機構４５０は、ギアボックス４５１と、ハンドル４５２と、ラックロッド４５３と、ガイドロッド４５４と、ストッパ板４５５と、を含む。ギアボックス４５１は、略矩形状の箱体である。ギアボックス４５１は、上面４５６と、上面４５６とは反対側の下面４５７と、を含む。
【００８８】
ラックロッド４５３及びガイドロッド４５４は、ギアボックス４５１を鉛直方向に貫通する。ラックロッド４５３及びガイドロッド４５４は、ギアボックス４５１の上面４５６及び下面４５７それぞれから突出する。摺動板４３０は、ラックロッド４５３及びガイドロッド４５４それぞれの下端に取り付けられる。ストッパ板４５５は、ラックロッド４５３及びガイドロッド４５４それぞれの上端に取り付けられる。
【００８９】
使用者が、ハンドル４５２を回転すると、摺動板４３０、ラックロッド４５３、ガイドロッド４５４及びストッパ板４５５は、一体的に上方又は下方に変位する。摺動板４３０が、変位範囲の上限位置に到達すると、ギアボックス４５１の下面４５７は、摺動板４３０に当接する。摺動板４３０が、変位範囲の下限位置に到達すると、ギアボックス４５１の上面４５６は、ストッパ板４５５に当接する。
【００９０】
図７は、ギアボックス４５１の概略的な断面図（Ｙ軸方向）である。図１及び図７を参照して、調整機構４５０が更に説明される。
【００９１】
図１に示される如く、ハンドル４５２は、握持棒４６１と、接続ディスク４６２と、挿入棒４６３と、ピニオン４６４（図７を参照）と、を含む。接続ディスク４６２は、略円板である。接続ディスク４６２は、周面４６５と、対向面４６６と、を含む。握持棒４６１は、周面４６５から突出する。対向面４６６は、ギアボックス４５１に対向する。挿入棒４６３は、対向面４６６から突出し、ギアボックス４５１に部分的に挿入される。
【００９２】
図７に示される如く、ピニオン４６４は、ギアボックス４５１内で、挿入棒４６３の先端部に接続される。ラックロッド４５３の周面には、ラック（図示せず）が形成される。ピニオン４６４は、ラックロッド４５３に形成されたラックと噛み合う。したがって、使用者が、握持棒４６１を掴み、接続ディスク４６２及び挿入棒４６３と一体的にピニオン４６４を回転させると、ラックロッド４５３は、鉛直方向に変位する。
【００９３】
図８は、ギアボックス４５１の概略的な断面図（Ｘ軸方向）である。図１及び図８を参照して、ギアボックス４５１が説明される。
【００９４】
図８に示される如く、ギアボックス４５１は、固定壁４７１と、箱部４７２と、ブレーキ板４７３と、を含む。調整機構４５０は、固定ボルト４７４と、セットボルト４７５と、を含む。固定壁４７１には、鉛直方向に延びる貫通孔４７６が形成される。固定ボルト４７４は、貫通孔４７６に挿入され、ガイド棒４２０の上端から下方に延びるネジ穴と螺合する。この結果、ギアボックス４５１は、ガイド棒４２０に連結される。
【００９５】
図８に示される如く、ガイド棒４２０には、キー溝４２１が形成される。キー溝４２１は、ガイド棒４２０の上端から下方に延びる。セットボルト４７５は、固定壁４７１に水平方向（Ｘ軸方向）に形成されたネジ穴を貫通し、キー溝４２１に部分的に嵌り込む。この結果、セットボルト４７５は、ガイド棒４２０の長手方向軸（Ｙ軸）周りにおけるギアボックス４５１の回転を抑制することができる。
【００９６】
図８に示される如く、第２スライド部４００は、第１滑り軸受４０１を含む。第１滑り軸受４０１は、摺動板４３０に嵌め込まれる。ガイド棒４２０は、第１滑り軸受４０１を貫通する。この結果、摺動板４３０は、ハンドル４５２の操作に応じて、ガイド棒４２０に沿って円滑に変位することができる。
【００９７】
図８に示される如く、第２スライド部４００は、第２滑り軸受４０２を含む。固定壁４７１は、第２滑り軸受４０２が収容される凹部が形成された内面４７７を含む。内面４７７は、箱部４７２と協働して、ピニオン４６４が収容される収容空間４７８を規定する。挿入棒４６３の先端は、第２滑り軸受４０２に挿入される。第２滑り軸受４０２は、挿入棒４６３の先端を支持する。
【００９８】
箱部４７２は、全体的に矩形筒状である。図８に示される如く、箱部４７２は、固定壁４７１から握持棒４６１に向けて突出する。箱部４７２は、握持棒４６１に向けて開口する。
【００９９】
図８に示される如く、ブレーキ板４７３は、箱部４７２によって規定された開口部を閉じる。挿入棒４６３は、ブレーキ板４７３を貫通し、第２滑り軸受４０２によって支持される。
【０１００】
図８に示される如く、挿入棒４６３は、基端棒部４８１と、雄ネジ棒部４８２と、中間棒部４８３と、ブレーキリング部４８４と、支持棒部４８５と、を含む。基端棒部４８１は、接続ディスク４６２に連結され、ギアボックス４５１に向けて延びる。雄ネジ棒部４８２は、基端棒部４８１とギアボックス４５１との間に位置する。雄ネジ棒部４８２は、基端棒部４８１より若干太い。雄ネジ棒部４８２の周面には、雄ネジが形成される。中間棒部４８３は、ブレーキ板４７３を貫通する。中間棒部４８３は、雄ネジ棒部４８２より若干太い。ブレーキリング部４８４は、挿入棒４６３の中で最も太い部位である。ブレーキリング部４８４は、ピニオン４６４とブレーキ板４７３との間に位置する。支持棒部４８５は、ブレーキリング部４８４から固定壁４７１の内面４７７に向けて延びる。ピニオン４６４は支持棒部４８５に取り付けられる。支持棒部４８５の先端は、第２滑り軸受４０２によって保持される。
【０１０１】
図８に示される如く、第２スライド部４００は、第３滑り軸受４０３と、２つのワッシャ４０４，４０５と、ブレーキナット４０６と、を含む。第３滑り軸受４０３は、ブレーキ板４７３に形成された貫通孔に嵌め込まれる。中間棒部４８３は、第３滑り軸受４０３に挿入される。ワッシャ４０４は、中間棒部４８３とブレーキリング部４８４との間の境界に配置される。ワッシャ４０５は、中間棒部４８３と雄ネジ棒部４８２との間の境界に配置される。したがって、第３滑り軸受４０３は、ワッシャ４０４，４０５の間に位置する。ブレーキナット４０６は、雄ネジ棒部４８２と螺合する。ブレーキナット４０６がブレーキ板４７３に向けて締め込まれると、ブレーキナット４０６、ワッシャ４０４，４０５、第３滑り軸受４０３、ブレーキ板４７３といった要素間の境界において高い摩擦力が生ずる。この結果、摺動板４３０及び回動部材５００の自重に起因するハンドル４５２の回転は生じにくくなる。
【０１０２】
＜第９実施形態＞
保持台を設計する設計者は、第１スライド部に様々な構造を与えることができる。たとえば、設計者は、第１スライド部として、一般的なリニアスライダ機構を採用してもよい。第９実施形態において、リニアスライダ機構を有する保持台が説明される。
【０１０３】
図１に示される如く、第１スライド部３００は、台座部３１０と、レール３２０と、雄ネジ棒３３０と、位置決め機構３４０と、を含む。図６Ａに示される如く、台座部３１０は、主壁３１１と、２つの側壁３１２，３１３と、を含む。主壁３１１は、Ｙ軸に沿って直線的に延びる。側壁３１２，３１３は、主壁３１１の両端部からそれぞれ略直角に屈曲する。側壁３１３は、側壁３１２に対向する。
【０１０４】
図１に示される如く、レール３２０は、主壁３１１の上面に取り付けられ、Ｙ軸に沿って直線的に延びる。第２スライド部４００の基台部４１０は、レール３２０に噛み合い、Ｙ軸に沿って変位することができる。本実施形態において、スライドレールは、レール３２０によって例示される。
【０１０５】
図６Ａに示される如く、雄ネジ棒３３０は、レール３２０に並行してＹ軸に沿って延びる。雄ネジ棒３３０の両端は、側壁３１２，３１３によって支持される。雄ネジ棒３３０の周面には、雄ネジ（図示せず）が形成される。本実施形態において、位置決めロッドは、雄ネジ棒３３０によって例示される。
【０１０６】
図９Ａ及び図９Ｂは、位置決め機構３４０の概念的な断面図である。図９Ａ及び図９Ｂを参照して、位置決め機構３４０による位置決め原理が説明される。
【０１０７】
位置決め機構３４０は、位置決め部材３４１と、操作ピン３４２と、コイルバネ３４３と、を含む。位置決め部材３４１は、上板３４４と、下板３４５と、略鉛直な鉛直板３４６と、を含む。上板３４４は、鉛直板３４６の上縁から略水平に延びる。下板３４５は、鉛直板３４６の下縁から略水平に延びる。基台部４１０の一部は、上板３４４と、下板３４５と、略鉛直な鉛直板３４６と、によって囲まれた空間内に配置される。
【０１０８】
上板３４４は、基台部４１０に対向する下面３４７を含む。基台部４１０は、上板３４４の下面３４７に対向する上面４１１を含む。コイルバネ３４３は、上板３４４の下面３４７と基台部４１０の上面４１１との間で延びる。本実施形態において、第２対向面は、上板３４４の下面３４７によって例示される。
【０１０９】
操作ピン３４２は、頭部３５１と脚部３５２とを含む。頭部３５１は、上板３４４の上方に現れる。頭部３５１より細い脚部３５２は、上板３４４を貫通する。脚部３５２の下端は、基台部４１０の上面４１１に形成された凹部４１２に挿入されてもよい。脚部３５２は、上板３４４に形成されたネジ穴と螺合される。脚部３５２の先端が、凹部４１２に当接するように、操作者が、頭部３５１を回転すると、上面３４４、鉛直板３４６及び下板３４５の動きは、ロックされる。
【０１１０】
図９Ｂに示される如く、使用者が、上板３４４又は操作ピン３４２の頭部３５１に下向きの力を加えると、コイルバネ３４３は、圧縮される。この結果、上板３４４の下面３４７と基台部４１０の上面４１１との間の距離は小さくなる。図９Ａに示される如く、コイルバネ３４３は、下向きの力の不存在下で、上向きに伸張する。この結果、上板３４４の下面３４７と基台部４１０の上面４１１との間の距離は長くなる。本実施形態において、第１方向は、上向きの方向によって例示される。第２方向は、下向きの方向によって例示される。
【０１１１】
下板３４５は、基台部４１０と下板３４５との間で延びる雄ネジ棒３３０に対向する上面３４８を含む。図９Ｂに示される如く、上面３４８には、雄ネジ棒３３０の下半周面に相補的な雌ネジ溝３４９が形成される。雌ネジ溝３４９は、雄ネジ棒３３０の直下に位置する。雄ネジ棒３３０と同様に、雌ネジ溝３４９は、Ｙ軸に沿って延びる。本実施形態において、第１対向面は、下板３４５の上面３４８によって例示される。
【０１１２】
下板３４５は、鉛直板３４６によって上板３４４に連結されているので、下板３４５は、上板３４４の上下動に連動する。使用者が、下向きの力を操作ピン３４２に加えていないならば、雌ネジ溝３４９は、コイルバネ３４３の上向きの付勢力によって雄ネジ棒３３０に噛み合う。この結果、基台部４１０のＹ軸上の位置は固定される。使用者が、下向きの力を操作ピン３４２に加えると、下板３４５は、上板３４４とともに下方へ移動する。この結果、雌ネジ溝３４９は、雄ネジ棒３３０から離れる。その後、使用者は、基台部４１０をＹ軸に沿って変位させることができる。
【０１１３】
上述の様々な実施形態に関連して説明された設計原理は、様々な加熱工具を保持する保持台に適用可能である。上述の様々な実施形態のうち１つに関連して説明された様々な特徴のうち一部が、他のもう１つの実施形態に関連して説明された保持台に適用されてもよい。
【産業上の利用可能性】
【０１１４】
上述の実施形態の原理は、加熱工具を利用する様々な技術分野に好適に利用される。
【符号の説明】
【０１１５】
１００・・・・・・・・・・・・・・・・・・・・・・・・・保持台
２００・・・・・・・・・・・・・・・・・・・・・・・・・支持板
２１０・・・・・・・・・・・・・・・・・・・・・・・・・上面
３００・・・・・・・・・・・・・・・・・・・・・・・・・第１スライド部
３２０・・・・・・・・・・・・・・・・・・・・・・・・・レール
３３０・・・・・・・・・・・・・・・・・・・・・・・・・雄ネジ棒
３４３・・・・・・・・・・・・・・・・・・・・・・・・・コイルバネ
３４７・・・・・・・・・・・・・・・・・・・・・・・・・下面
３４８・・・・・・・・・・・・・・・・・・・・・・・・・上面
４００・・・・・・・・・・・・・・・・・・・・・・・・・第２スライド部
４１０・・・・・・・・・・・・・・・・・・・・・・・・・基台部
４２０・・・・・・・・・・・・・・・・・・・・・・・・・ガイド棒
４３０・・・・・・・・・・・・・・・・・・・・・・・・・摺動板
４３３・・・・・・・・・・・・・・・・・・・・・・・・・スロット
４４０・・・・・・・・・・・・・・・・・・・・・・・・・締結ネジ
４５３・・・・・・・・・・・・・・・・・・・・・・・・・ラックロッド
４６４・・・・・・・・・・・・・・・・・・・・・・・・・ピニオン
５００・・・・・・・・・・・・・・・・・・・・・・・・・回動部材
５１０・・・・・・・・・・・・・・・・・・・・・・・・・アーム板
５１１・・・・・・・・・・・・・・・・・・・・・・・・・基端部
５１３・・・・・・・・・・・・・・・・・・・・・・・・・貫通孔
５２０・・・・・・・・・・・・・・・・・・・・・・・・・ベアリング
５３０・・・・・・・・・・・・・・・・・・・・・・・・・ロック機構
５３１・・・・・・・・・・・・・・・・・・・・・・・・・リング片
５３２・・・・・・・・・・・・・・・・・・・・・・・・・操作レバー
５３４・・・・・・・・・・・・・・・・・・・・・・・・・締付板
５３５，５３６・・・・・・・・・・・・・・・・・・・・・突出片
５６０・・・・・・・・・・・・・・・・・・・・・・・・・セットボルト
５７０・・・・・・・・・・・・・・・・・・・・・・・・・ロックネジ
５７１・・・・・・・・・・・・・・・・・・・・・・・・・頭部
５７２・・・・・・・・・・・・・・・・・・・・・・・・・脚部
ＢＥＧ・・・・・・・・・・・・・・・・・・・・・・・・・底縁
ＢＬＷ・・・・・・・・・・・・・・・・・・・・・・・・・吹出器
ＮＺＬ・・・・・・・・・・・・・・・・・・・・・・・・・ノズル
【図１】
0006302891.tif 000002
【図２】
0006302891.tif 000003
【図３】
0006302891.tif 000004
【図４】
0006302891.tif 000005
【図５】
0006302891.tif 000006
【図６Ａ】
0006302891.tif 000007
【図６Ｂ】
0006302891.tif 000008
【図７】
0006302891.tif 000009
【図８】
0006302891.tif 000010
【図９Ａ】
0006302891.tif 000011
【図９Ｂ】
0006302891.tif 000012